(57)【要約】      （修正有）【課題】事業者間で無線部における無線リソースを共有可能な基地局システム、無線制御部及び通信制御方法を提供する。【解決手段】基地局システムは、通信事業者毎に設けられた複数のＲＥ２０と、ＲＥＣ１０とを有する。ＲＥＣ１０は、第１の通信事業者のＲＥ２０の近隣に設置された第２の通信事業者のＲＥ２０における空きのキャリアリソースの状況を問い合わせるためのキャリアリソース空き問合せメッセージを送信する。更に、ＲＥＣ１０は、第２の通信事業者のＲＥ２０における空きのキャリアリソースの状況を示すキャリアリソース空きメッセージを受信する。【選択図】図１０
2012191264.tif 000002
【特許請求の範囲】
【請求項１】
事業者毎に設けられた複数の無線部と、無線制御部とを有する基地局システムであって、
第１の事業者の無線部における空きの無線リソースが不足していると見なされる場合に、前記第１の事業者の無線部の近隣に設置された第２の事業者の無線部における空きの無線リソースの状況を問い合わせる問合せメッセージを送信する第１の送信部と、
前記第２の事業者の無線部における空きの無線リソースの状況を示す第１の応答メッセージを受信する第１の受信部と
を備える基地局システム。
【請求項２】
前記第２の事業者の無線部における無線リソースの使用要求のメッセージを送信する第２の送信部と、
前記第２の事業者の無線部における無線リソースの使用可否を示す第２の応答メッセージを受信する第２の受信部と
を備える請求項１に記載の基地局システム。
【請求項３】
前記第２の送信部は、前記第１の応答メッセージが、前記第２の事業者における空きの無線リソースが所定量以上であることを示す場合に、前記使用要求のメッセージを送信する請求項２に記載の基地局システム。
【請求項４】
前記第２の事業者の無線部における無線リソースの識別に、前記第１の事業者の無線部の識別情報を使用する制御部を備える請求項１に記載の基地局システム。
【請求項５】
事業者毎に設けられた複数の無線部とともに基地局システムを構成する無線制御部であって、
所定の事業者の無線部における空きの無線リソースが不足していると見なされる場合に、前記所定の事業者の無線部の近隣に設置された他の事業者における空きの無線リソースの状況を問い合わせる問合せメッセージを送信する第１の送信部と、
前記他の事業者の無線部からの空きの無線リソースの状況を示す第１の応答メッセージを受信する第１の受信部と
を備える無線制御部。
【請求項６】
前記他の事業者の無線部における無線リソースの使用要求のメッセージを送信する第２の送信部と、
前記他の事業者の無線部における無線リソースの使用可否を示す第２の応答メッセージを受信する第２の受信部と
を備える請求項５に記載の無線制御部。
【請求項７】
事業者毎に設けられた複数の無線部とともに基地局システムを構成する無線制御部の通信制御方法であって、
前記無線制御部が、所定の事業者の無線部における空きの無線リソースが不足していると見なされる場合に、前記所定の事業者の無線部の近隣に設置された他の事業者の無線部における空きの無線リソースの状況を問い合わせる問合せメッセージを送信するステップと、
前記無線制御部が、前記他の事業者の無線部における空きの無線リソースの状況を示す第１の応答メッセージを受信するステップと
を含む通信制御方法。
【請求項８】
前記無線制御部が、前記他の事業者の無線部における無線リソースの使用要求のメッセージを送信するステップと、
前記無線制御部が、前記他の事業者の無線部における無線リソースの使用可否を示す第２の応答メッセージを受信するステップと
を含む請求項７に記載の通信制御方法。
【請求項９】
事業者毎に設けられた複数の無線部と、無線制御部とを有する基地局システムであって、
前記無線制御部は、第１の事業者の無線部における空きの無線リソースが不足していると見なされる場合に、前記第１の事業者の無線部の近隣に設置された第２の事業者の無線部における空きの無線リソースを、前記第１の事業者が使用可能とする基地局システム。
【発明の詳細な説明】
【技術分野】
【０００１】
本発明は、事業者毎に設けられた複数の無線部と、事業者毎に設けられた複数の無線制御部とを有する基地局システム、当該基地局システムにおける無線制御部、及び、無線制御部の通信制御方法に関する。
【背景技術】
【０００２】
無線通信システムは、無線アクセスネットワークとコアネットワークとに大きく分類できる。更に、無線アクセスネットワークは、無線信号の変復調を行う無線制御部と送受信電力を増幅する無線部とに大きく分類できる。近年、無線制御部（ＲＥＣ：Radio Equipment Control）と無線部（ＲＥ：Radio Equipment）とのインタフェースがＣＰＲＩ（Common Public Radio Interface）として標準化されている。無線通信システムにおいては、無線アクセスネットワーク機能の中心を担うＲＥＣがＮＯＣ（Network Operation Center）に設置され、光張出ＴＲＸ装置を使用して、ＲＥに向けてユーザーデータを送信する方式が採用されている。
【先行技術文献】
【非特許文献】
【０００３】
【非特許文献１】“CPRI Specification V4.2”、［平成２２年１２月１０日検索］、インターネット〈URL：http://www.cpri.info/downloads/CPRI_v_4_2_2010-09-29.pdf>
【発明の概要】
【発明が解決しようとする課題】
【０００４】
従来では、１つの通信事業者がＲＥＣ及びＲＥを所有している場合が多く、特に１つのＲＥにおける無線リソースを異なる通信事業者間で共有していない。このため、無線リソースが有効に使われていないことがある。
【０００５】
上記問題点に鑑み、本発明は、事業者間で無線部における無線リソースを共有可能な基地局システム、無線制御部及び通信制御方法を提供することを目的とする。
【課題を解決するための手段】
【０００６】
上述した課題を解決するために、本発明は以下のような特徴を有している。
【０００７】
本発明の特徴は、事業者毎に設けられた複数の無線部（ＲＥ２０）と、無線制御部（ＲＥＣ１０）とを有する基地局システムであって、第１の事業者の無線部における空きの無線リソースが不足していると見なされる場合に、前記第１の事業者の無線部の近隣に設置された第２の事業者の無線部における空きの無線リソースの状況を問い合わせる問合せメッセージを送信する第１の送信部（制御部１０２）と、前記第２の事業者の無線部における空きの無線リソースの状況を示す第１の応答メッセージを受信する第１の受信部（制御部１０２）とを備えることを要旨とする。
【０００８】
このような基地局システムは、第１の事業者の無線部における空きの無線リソースが不足していると見なされる場合には、当該第１の事業者の無線部の近隣に設置された第２の事業者の無線部における空きの無線リソースの状況を取得できる。このため、基地局システムは、取得した第２の事業者の無線部における空きの無線リソースの状況に応じて、第２の事業者の無線部における空きの無線リソースを、第１の事業者の無線部の無線リソースとして用いることが可能となる。
【０００９】
本発明の特徴は、前記第２の事業者の無線部における無線リソースの使用要求のメッセージを送信する第２の送信部と、前記第２の事業者の無線部における無線リソースの使用可否を示す第２の応答メッセージを受信する第２の受信部とを備えることを要旨とする。
【００１０】
本発明の特徴は、前記第２の送信部は、前記第１の応答メッセージが、前記第２の事業者における空きの無線リソースが所定量以上であることを示す場合に、前記使用要求のメッセージを送信することを要旨とする。
【００１１】
本発明の特徴は、前記第２の事業者の無線部における無線リソースの識別に、前記第１の事業者の無線部の識別情報を使用する制御部を備えることを要旨とする。
【００１２】
本発明の特徴は、事業者毎に設けられた複数の無線部とともに基地局システムを構成する無線制御部であって、所定の事業者の無線部における空きの無線リソースが不足していると見なされる場合に、前記所定の事業者の無線部の近隣に設置された他の事業者における空きの無線リソースの状況を問い合わせる問合せメッセージを送信する第１の送信部と、前記他の事業者の無線部からの空きの無線リソースの状況を示す第１の応答メッセージを受信する第１の受信部とを備えることを要旨とする。
【００１３】
本発明の特徴は、前記他の事業者の無線部における無線リソースの使用要求のメッセージを送信する第２の送信部と、前記他の事業者の無線部における無線リソースの使用可否を示す第２の応答メッセージを受信する第２の受信部とを備えることを要旨とする。
【００１４】
本発明の特徴は、事業者毎に設けられた複数の無線部とともに基地局システムを構成する無線制御部の通信制御方法であって、前記無線制御部が、所定の事業者の無線部における空きの無線リソースが不足していると見なされる場合に、前記所定の事業者の無線部の近隣に設置された他の事業者の無線部における空きの無線リソースの状況を問い合わせる問合せメッセージを送信するステップと、前記無線制御部が、前記他の事業者の無線部における空きの無線リソースの状況を示す第１の応答メッセージを受信するステップとを含むことを要旨とする。
【００１５】
本発明の特徴は、前記無線制御部が、前記他の事業者の無線部における無線リソースの使用要求のメッセージを送信するステップと、前記無線制御部が、前記他の事業者の無線部における無線リソースの使用可否を示す第２の応答メッセージを受信するステップとを含むことを要旨とする。
【００１６】
本発明の特徴は、事業者毎に設けられた複数の無線部と、無線制御部とを有する基地局システムであって、前記無線制御部は、第１の事業者の無線部における空きの無線リソースが不足していると見なされる場合に、前記第１の事業者の無線部の近隣に設置された第２の事業者の無線部における空きの無線リソースを、前記第１の事業者が使用可能とすることを要旨とする。
【発明の効果】
【００１７】
本発明によれば、事業者間で無線部における無線リソースを共有可能となる。
【図面の簡単な説明】
【００１８】
【図１】本発明の実施形態に係る無線通信システムの全体概略構成図である。
【図２】本発明の実施形態に係る基地局システムの論理的な構成図である。
【図３】本発明の実施形態に係るＲＥＣの構成図である。
【図４】本発明の実施形態に係るキャリアリソースの一例を示す図である。
【図５】本発明の実施形態に係るＲＥ情報の第１の例を示す図である。
【図６】本発明の実施形態に係るＣＰＲＩプロトコルを示す図である。
【図７】本発明の実施形態に係るＲＥの構成図である。
【図８】本発明の実施形態に係る他社ＲＥのキャリアリソースを使用する場合を説明するための図である。
【図９】本発明の実施形態に係るＲＥ情報の第２の例を示す図である。
【図１０】本発明の実施形態に係る無線通信システムの動作を示すシーケンス図である。
【発明を実施するための形態】
【００１９】
次に、図面を参照して、本発明の実施形態を説明する。具体的には、無線通信システムの構成、無線通信システムの動作、作用・効果、その他の実施形態について説明する。以下の実施形態における図面の記載において、同一又は類似の部分には同一又は類似の符号を付している。
【００２０】
（１）無線通信システムの構成
図１は、本実施形態に係る無線通信システムの概略構成図である。本実施形態では、無線通信システム１は、ＬＴＥ技術を用いて構成されている。図１に示す無線通信システム１は、ＲＥＣ（Radio Equipment Control）１０、ＲＥ（Radio Equipment）２０−１、ＲＥ２０−２、ＲＥ２０−３（以下、ＲＥ２０−１、ＲＥ２０−２、ＲＥ２０−３をまとめて、適宜「ＲＥ２０」と称する）、光ファイバであって、ＣＰＲＩ（Common Public Radio Interface）リンクを構築する通信回線３０−１、通信回線３０−２、通信回線３０−３（以下、通信回線３０−１、通信回線３０−２、通信回線３０−３をまとめて、適宜「通信回線３０」と称する）、バックホール４０、ＥＭＳ（Event Monitoring Service）サーバ５０、インターネット６０とを含む。
【００２１】
ＲＥＣ１０と、ＲＥ２０−１、ＲＥ２０−２、ＲＥ２０−３とは、光張り出し方式により、通信回線３０−１、通信回線３０−２、通信回線３０−３を介して接続され、基地局システムを構成する。また、ＲＥＣ１０は、バックホール４０を介して、ＥＭＳサーバ５０及びインターネット６０に接続される。
【００２２】
本実施形態において、ＲＥ２０−１及びＲＥ２０−２は、通信事業者Ａ（Ａ社）の固有の資産であり、ＲＥ２０−３は、通信事業者Ｂ（Ｂ社）の固有の資産である。ＲＥ２０−１及びＲＥ２０−２は、Ａ社の通信エリアであるセル５１１を形成する。ＲＥ２０−３は、Ｂ社の通信エリアであるセル５１２を形成する。
【００２３】
本実施形態において、ＲＥＣ１０のリソースであるコンピュータ及びソフトウェア群を所有する者は、Ａ社及びＢ社に対して、ＲＥＣ１０を貸し出す。この場合、図２に示すように、ＲＥＣ１０は、Ａ社に貸し出す論理的なＲＥＣ（Ａ社論理的ＲＥＣ）１１−１と、Ｂ社に貸し出す論理的なＲＥＣ（Ｂ社論理的ＲＥＣ）１１−２を構成する。
【００２４】
このようにして、ＲＥＣ１０とＲＥ２０−１及びＲＥ２０−２とにより、Ａ社の基地局システムが構成され、ＲＥＣ１０とＲＥ２０−３とにより、Ｂ社の基地局システムが構成される。基地局システムにおいて、ＲＥＣ１０は、ＳＮＭＰ（Simple Network Management Protocol）におけるＳＮＭＰマネージャとなり、ＲＥ２０は、ＳＮＭＰエージェントとなる。
【００２５】
図３は、ＲＥＣ１０の構成を示す図である。図３に示すＲＥＣ１０は、複数台のコンピュータによって構成される。各コンピュータには、ファイバーチャネルスイッチが接続されており、ファイバーチャネルスイッチと通信回線３０−１、通信回線３０−２、通信回線３０−３を介してＲＥ２０−１、ＲＥ２０−２、ＲＥ２０−３に接続される。
【００２６】
ＲＥＣ１０は、制御部１０２、記憶部１０３、有線通信部１０４及びＢＢ（Base Band）処理部１０６を含む。
【００２７】
制御部１０２は、ＲＥＣ１０が具備する各種機能を制御する。具体的には、制御部１０２は、通信事業者毎にソフトウェアを実行することにより、Ａ社論理的ＲＥＣ１１−１と、Ｂ社論理的ＲＥＣ１１−２とを実現する。Ａ社論理的ＲＥＣ１１−１と、Ｂ社論理的ＲＥＣ１１−２とは、それぞれ対応する通信事業者のＲＥ２０と対応付けられる。本実施形態では、Ａ社論理的ＲＥＣ１１−１は、Ａ社のＲＥであるＲＥ２０−１及びＲＥ２０−２が対応付けられ、Ｂ社論理的ＲＥＣ１１−２は、Ｂ社のＲＥであるＲＥ２０−３が対応付けられる。
【００２８】
また、制御部１０２は、ＲＥ２０毎に、当該ＲＥ２０が形成するセル内の図示しない無線端末（ＵＥ）に対して、無線リソースであるキャリアリソースを割り当てる。ＲＥ２０は、複数のキャリアリソースを持つことができる。例えば、図４に示すように、ＲＥ２０が２０［ＭＨｚ］の周波数帯域をキャリアリソースとして使用可能な場合、制御部１０２は、２０［ＭＨｚ］の周波数帯を１０［ＭＨｚ］のキャリアリソースに分割し、各キャリアリソースの送信電力を制御する。すなわち、制御部１０２は、キャリアリソースの使用及び未使用（割り当て及び未割り当て）を制御できる。
【００２９】
記憶部１０３は、例えばメモリによって構成され、ＲＥＣ１０における制御などに用いられる各種情報を記憶する。具体的には、記憶部１０３には、ＲＥ２０毎の属性情報であるＲＥ情報が記憶されている。図５は、ＲＥ情報の一例を示す図である。図５に示すＲＥ情報は、対応するＲＥ２０の所有者である通信事業者、対応するＲＥ２０によって形成されるセルの識別情報（セルＩＤ）を含む。
【００３０】
有線通信部１０４は、バックホール４０に接続され、ＥＭＳサーバ５０や、インターネット６０上のサーバ等との間で、データの送信及び受信を行う。
【００３１】
ＢＢ処理部１０６は、通信回線３０−１、通信回線３０−２、通信回線３０−３を介して、ＲＥ２０−１、ＲＥ２０−２、ＲＥ２０−３に接続される。ＢＢ処理部１０６は、ベースバンド周波数帯の処理を行う。具体的には、ＢＢ処理部１０６は、ユーザデータを受信し、ベースバンド周波数信号であるＩＱデータを生成する。更に、ＢＢ処理部１０６は、ＩＱデータをＣＰＲＩフレームに変換し、当該ＣＰＲＩフレームを、通信回線３０−１、通信回線３０−２、通信回線３０−３を介して、ＲＥ２０−１、ＲＥ２０−２、ＲＥ２０−３へ送信する。
【００３２】
図６は、ＣＰＲＩのプロトコルを示す図である。図６に示すように、ＣＰＲＩのプロトコルは、レイヤ１において電気信号伝送（Electrical Transmission）、光信号伝送（Optical Transmission）及び時分割多重（Time Division Multiplexing）について規定している。また、レイヤ２において、ＩＱデータ、Ｖｅｎｄｅｒ  Ｓｐｅｃｉｆｉｃ、Ｅｔｈｅｒｎｅｔ（登録商標）、ＨＤＬＣ、Ｌ１  Ｉｎｂａｎｄ  Ｐｒｏｔｏｃｏｌについて規定している。
【００３３】
図７は、ＲＥ２０−１、ＲＥ２０−２、ＲＥ２０−３の構成図である。図７に示すＲＥ２０は、制御部２０２、無線通信部２０６及びアンテナ２０８を含む。
【００３４】
制御部２０２は、ＲＥ２０が具備する各種機能を制御する。無線通信部２０６は、無線周波数帯の処理を行う。具体的には、無線通信部２０６は、ＲＥＣ１０が送信するＣＰＲＩフレームを、通信回線３０を介して受信する。更に、無線通信部２０６は、ＣＰＲＩフレーム内のＩＱデータを無線周波数帯の信号に変調した後、アンテナ２０８を介して、図示しない無線端末（ＵＥ）へ無線通信により送信する。
【００３５】
本実施形態の基地局システムにおいて、ＲＥＣ１０は、１の通信事業者に対応するキャリアリソースを、他の通信事業者に対応するキャリアリソースとして設定することができる。以下、設定処理の詳細を説明する。
【００３６】
ＲＥＣ１０内の制御部１０２は、ＲＥ２０毎に、当該ＲＥ２０におけるキャリアリソースの使用状況を監視する。監視の結果、所定のＲＥ２０におけるキャリアリソースが不足していると見なされる場合（空きのキャリアリソースが所定量以下となった場合や、キャリアリソースの使用率が所定値を超えた場合等）、制御部１０２は、近隣他社ＲＥ問合せメッセージを生成する。近隣他社問合せメッセージは、キャリアリソースが不足しているＲＥ２０の近隣に存在し、当該キャリアリソースが不足しているＲＥ２０を所有する通信事業者以外の通信事業者が所有するＲＥ２０（近隣他社ＲＥ２０）を問い合わせるためのメッセージである。近隣他社ＲＥ問合せメッセージは、キャリアリソースが不足しているＲＥ２０の識別情報として、ＩＰアドレスが含まれている。
【００３７】
制御部１０２は、生成した近隣他社ＲＥ問合せメッセージを、有線通信部１０４及びバックホール４０を介して、ＥＭＳサーバ５０へ送信する。
【００３８】
ＥＭＳサーバ５０は、各ＲＥ２０の位置の情報、各ＲＥ２０のＩＰアドレス、各ＲＥ２０を所有する通信事業者の情報とを対応付けて保持している。ＥＭＳサーバ５０は、近隣他社ＲＥ問合せメッセージを受信する。次に、ＥＭＳサーバ５０は、近隣他社ＲＥ問合せメッセージに含まれる、キャリアリソースが不足しているＲＥ２０のＩＰアドレスに基づいて、当該キャリアリソースが不足しているＲＥ２０の位置と、当該キャリアリソースが不足しているＲＥ２０を所有する通信事業者を認識する。
【００３９】
更に、ＥＭＳサーバ５０は、キャリアリソースが不足しているＲＥ２０から所定距離内に存在し、且つ、キャリアリソースが不足しているＲＥ２０を所有する通信事業者とは別の通信事業者が所有するＲＥ２０（近隣他社ＲＥ２０）のＩＰアドレスを判別する。
【００４０】
次に、ＥＭＳサーバ５０は、近隣他社ＲＥ２０のＩＰアドレスを、バックホール４０を介して、ＲＥＣ１０内２０へ送信する。
【００４１】
ＲＥＣ１０内の制御部１０２は、有線通信部１０４を介して、近隣他社ＲＥ２０のＩＰアドレスを受信する。次に、制御部１０２は、近隣他社ＲＥ２０のＩＰアドレスを宛先とする、キャリアリソース空き問合せメッセージを生成する。キャリアリソース空き問合せメッセージは、近隣他社ＲＥ２０に対して、空き（未使用）のキャリアリソースの状況を問い合わせるためのメッセージである。制御部１０２は、キャリアリソース空き問合せメッセージを、ＢＢ処理部１０６及び通信回線３０を介して、近隣他社ＲＥ２０へ送信する。
【００４２】
近隣他社ＲＥ２０内の制御部２０２は、キャリアリソース空き問合せメッセージを受信すると、当該近隣他社ＲＥ２０におけるキャリアリソースの空きを認識する。制御部２０２は、キャリアリソース空きメッセージを生成する。キャリアリソース空きメッセージは、近隣他社ＲＥ２０における空きのキャリアリソースの状況に関する情報を含む。近隣他社ＲＥ２０におけるキャリアリソースの空きに関する情報は、ＭＩＢ（Management Information Base）情報であり、例えば、キャリアリソースの使用率、空きのキャリアリソースの周波数帯域等の情報である。更に、制御部２０２は、キャリアリソース空きメッセージを、通信回線３０を介してＲＥＣ１０へ送信する。
【００４３】
ＲＥＣ１０内の制御部１０２は、ＢＢ処理部１０６を介して、キャリアリソース空きメッセージを受信する。次に、制御部１０２は、キャリアリソース空きメッセージによって示される、空きのキャリアリソースが所定量以上、例えば、キャリアリソースの使用率が所定値以下、空きのキャリアリソースの周波数帯域が所定帯域幅以上である場合、キャリアリソース空きメッセージの送信元である隣接他社ＲＥ２０のＩＰアドレスを宛先とする、キャリアリソース使用要求メッセージを生成する。キャリアリソース使用要求メッセージは、近隣他社ＲＥ２０に対して、キャリアリソースが不足しているＲＥ２０を所有する通信事業者のためにキャリアリソースを使用することを要求するためのメッセージである。制御部１０２は、キャリアリソース使用要求メッセージを、ＢＢ処理部１０６及び通信回線３０を介して、近隣他社ＲＥ２０へ送信する。
【００４４】
近隣他社ＲＥ２０内の制御部２０２は、キャリアリソース使用要求メッセージを受信すると、近隣他社ＲＥ２０におけるキャリアリソースを他の通信事業者のために使用可能であるか否かを判定する。例えば、キャリアリソースの使用率が所定値以下である場合には、制御部２０２は、使用可能と判断する。制御部２０２は、キャリアリソース使用応答メッセージを生成する。キャリアリソース使用応答メッセージは、キャリアリソースが不足しているＲＥ２０を所有する通信事業者のために近隣他社ＲＥ２０におけるキャリアリソースを使用することを認めるか否かを示すメッセージである。更に、制御部２０２は、キャリアリソース使用応答メッセージを、通信回線３０を介してＲＥＣ１０へ送信する。
【００４５】
ＲＥＣ１０内の制御部１０２は、ＢＢ処理部１０６を介して、キャリアリソース使用応答メッセージを受信する。次に、制御部１０２は、キャリアリソース使用応答メッセージに基づいて、当該キャリアリソース使用応答メッセージの送信元である隣接他社ＲＥ２０におけるキャリアリソースを、キャリアリソースが不足しているＲＥ２０を所有する通信事業者のために使用可能であるか否かを判定する。
【００４６】
使用可能である場合、制御部１０２は、隣接他社ＲＥ２０におけるキャリアリソースを、キャリアリソースが不足しているＲＥ２０を所有する通信事業者のために使用する処理を行う。この際、制御部１０２は、ＲＥ情報のうち、隣接他社ＲＥ２０に対応するＲＥ情報に、キャリアリソースが不足しているＲＥ２０のセルＩＤを追加する。その後、制御部１０２は、キャリアリソースが不足しているＲＥ２０のセル内に存在し、通信事業者Ａの通信サービスを受けるＵＥからの接続要求があった場合に、当該ＵＥに対して、隣接他社ＲＥ２０における複数のキャリアリソースの一部を割り当てる。
【００４７】
例えば、通信事業者ＢのＲＥ２０−３におけるキャリアリソースの一部が通信事業者Ａのために使用される場合、図８に示すように、ＲＥ２０−３のセルが通信事業者Ａに対応するセル５１１となる。また、図９に示すように、ＲＥ２０−３に対応するＲＥ情報に通信事業者Ａに対応するセル５１１のセルＩＤが追加される。
【００４８】
（２）無線通信システムの動作
図１０は、本発明の実施形態に係る無線通信システムの動作を示すシーケンス図である。
【００４９】
ステップＳ１０１において、ＲＥＣ１０は、通信事業者ＡのＲＥ２０−２へ通信事業者Ａの通信サービスを受けるＵＥ宛のＩＱデータを送信する。ＲＥ２０−２は、ＩＱデータを受信する。
【００５０】
ステップＳ１０２において、ＲＥ２０−２におけるキャリアリソースが不足した場合、ステップＳ１０３において、ＲＥＣ１０は、近隣他社ＲＥ問合せメッセージをＥＭＳサーバ５０へ送信する。ＥＭＳサーバ５０は、近隣他社ＲＥ問合せメッセージを受信する。
【００５１】
ステップＳ１０４において、ＥＭＳサーバ５０は、通信事業者ＢのＲＥ２０−３のＩＰアドレスをＲＥＣ１０へ送信する。ＲＥＣ１０は、ＲＥ２０−３のＩＰアドレスを受信する。
【００５２】
ステップＳ１０５において、ＲＥＣ１０は、キャリアリソース空き問合せメッセージをＲＥ２０−３へ送信する。ＲＥ２０−３は、キャリアリソース空き問合せメッセージを受信する。
【００５３】
ステップＳ１０６において、ＲＥ２０−３は、キャリアリソース空きメッセージをＲＥＣ１０へ送信する。ＲＥＣ１０は、キャリアリソース空きメッセージを受信する。
【００５４】
ステップＳ１０７において、ＲＥＣ１０は、キャリアリソース使用要求メッセージをＲＥ２０−３へ送信する。ＲＥ２０−３は、キャリアリソース使用要求メッセージを受信する。
【００５５】
ステップＳ１０８において、ＲＥ２０−３は、キャリアリソース使用応答メッセージをＲＥＣ１０へ送信する。ＲＥＣ１０は、キャリアリソース使用応答メッセージを受信する。
【００５６】
ステップＳ１０９において、ＲＥＣ１０は、通信事業者ＢのＲＥ２０−３のキャリアリソースを通信事業者Ａのキャリアリソースとして使用する処理を行う。
【００５７】
ステップＳ１１０において、ＲＥＣ１０は、通信事業者ＢのＲＥ２０−３へ通信事業者Ｂの通信サービスを受けるＵＥ宛のＩＱデータを送信する。ＲＥ２０−３は、ＩＱデータを受信する。
【００５８】
（３）作用・効果
本実施形態において、基地局システムは、通信事業者毎のＲＥ２０と、ＲＥＣ１０とによって構成される。１の通信事業者のＲＥ２０においてキャリアリソースが不足した場合、ＲＥＣ１０は、キャリアリソースが不足しているＲＥ２０の近隣に設置されている、他の通信事業者のＲＥ２０に対して、キャリアリソース空き問合せメッセージを送信し、他の通信事業者のＲＥ２０からのキャリアリソース空きメッセージを受信する。
【００５９】
更に、ＲＥＣ１０は、他の通信事業者のＲＥ２０に対して、キャリアリソース使用要求メッセージを送信し、他の通信事業者のＲＥ２０からのキャリアリソース使用応答メッセージを受信する。
【００６０】
従って、ＲＥＣ１０は、１の通信事業者のＲＥ２０の近隣に設置された他の通信事業者のＲＥ２０における空きのキャリアリソースの状況を取得できる。更に、ＲＥＣ１０は、１の通信事業者のＲＥ２０の近隣に設置された他の通信事業者のＲＥ２０における空きのキャリアリソースの使用許可を得ることができる。このため、ＲＥＣ１０は、取得した他の通信事業者のＲＥ２０における空きのキャリアリソースの状況に応じて、当該他の通信事業者のＲＥ２０における空きのキャリアリソースを、１の通信事業者のキャリアリソースとして用いることが可能となり、通信事業者間でＲＥ２０におけるキャリアリソースを共有可能となる。
【００６１】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６２】
上述した実施形態では、ＲＥＣ１０は、１の通信事業者のＲＥ２０におけるキャリアリソースが不足した場合に、ＥＭＳサーバ５０に対して、近隣他社ＲＥ問合せメッセージを送信し、ＥＭＳサーバ５０からの１の通信事業者のＲＥ２０の近隣に設置された他の通信事業者のＲＥ２０のＩＰアドレスを受信した。しかし、ＲＥＣ１０が、各ＲＥ２０のＩＰアドレスを予め保持しておくようにしてもよい。
【００６３】
上述した実施形態では、ＲＥＣ１０が、キャリアリソース空き問合せメッセージの送信、キャリアリソース空きメッセージの受信、キャリアリソース使用要求メッセージの送信、キャリアリソース使用応答メッセージの受信、１の通信事業者のキャリアリソースを他の通信事業者のキャリアリソースとして使用する処理を行った。しかし、ＲＥＣ１０以外の装置がこれらの処理を行うようにしてもよい。
【００６４】
また、上述した実施形態では、ＬＴＥの基地局システムについて説明したが、無線制御部と、無線部とがＣＰＲＩのインタフェースによって接続される基地局システムであれば、同様に本発明を適用することができる。
【００６５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６６】
１…基地局システム、１０…ＲＥＣ、１１−１…Ａ社論理的ＲＥＣ、１１−２…Ｂ社論理的ＲＥＣ、２０−１、２０−２、２０−３…ＲＥ、３０−１、３０−２、３０−３…通信回線、４０…バックホール、５０…ＥＭＳサーバ、６０…インターネット、１０２、２０２…制御部、１０３…記憶部、１０４…有線通信部、１０６、２０６…ＢＢ処理部、２０８…アンテナ
【図１】
2012191264.tif 000003
【図２】
2012191264.tif 000004
【図３】
2012191264.tif 000005
【図４】
2012191264.tif 000006
【図５】
2012191264.tif 000007
【図６】
2012191264.tif 000008
【図７】
2012191264.tif 000009
【図８】
2012191264.tif 000010
【図９】
2012191264.tif 000011
【図１０】
2012191264.tif 000012